(57)【要約】【課題】使用態様に応じて、底を容易に持ち上げることができる脚付き箱を提供する。【解決手段】脚付き箱１は、底部１０ａにロック孔部１５を有する箱体１０と、１０ａの底部１０ａの稜部に前支持片２２が回転可能に設けられ、一端部とは反対側の他端側に設けられたロック用突出部２３ａと、一端部及び他端側の部分の間に配置され山折り可能に設けられた折り曲げ線３２とを有する脚部２０とを備え、脚部２０は、フラットにして箱体１０の底部１０ａに密着させた状態である密着状態と、箱体１０の底部１０ａの稜部回りに回転し、ロック用突出部２３ａをロック孔部１５に挿入し、折り曲げ線３２で山折りにして脚を形成し、底部１０ａを持ち上げる持ち上げ状態との間で変形可能である。【選択図】図２
2015024824.tif 000002
【特許請求の範囲】
【請求項１】
底部に孔部を有する箱体と、
前記箱体の底部の稜部に一端部が回転可能に設けられ、前記一端部とは反対側の他端側に設けられた突出部と、前記一端部及び前記他端側の部分の間に配置され山折り可能に設けられた折り曲げ部とを有する脚部とを備え、
前記脚部は、
フラットにして前記箱体の底部に密着させた状態である密着状態と、
前記箱体の底部の稜部回りに回転し、前記突出部を前記孔部に挿入し、前記折り曲げ部で山折りにして脚を形成し、底部を持ち上げる持ち上げ状態との間で変形可能なこと、
を特徴とする脚付き箱。
【請求項２】
請求項１に記載の脚付き箱において、
前記箱体は、前記他端側から前記一端部に向けて設けられたスリットを備え、
前記脚部は、
前記突出部の両側の領域に設けられ、前記スリットに挿入され、前記他端側の部分を前記箱体の底部に密着させた状態を維持する挿入片を備え、
前記密着状態では、前記他端側の部分及び前記箱体の底部が密着することにより、前記箱体の底部に密着した状態を維持し、
前記持ち上げ状態へ変形する状態では、前記脚部が山折りにされることによって、前記箱体の底部に撓みながら密着していた前記突出部が、復元力によって前記孔部に挿入されること、
を特徴とする脚付き箱。
【請求項３】
請求項１又は請求項２に記載の脚付き箱において、
前記脚部は、前記脚部の両側に設けられ、前記持ち上げ状態で、前記底部側に折り込むことにより、前記箱体の底部に当接して底部に掛かる荷重を受ける受け部を備えること、
を特徴とする脚付き箱。
【請求項４】
請求項１から請求項３のいずれかに記載の脚付き箱において、
前記箱体と前記脚部とは、別部材であり、
前記脚部は、前記脚部の一端側が、前記箱体の取り付け用スリットに挿入されることにより、前記箱体の底部に回転可能に取り付けられること、
を特徴とする脚付き箱。
【請求項５】
請求項４に記載の脚付き箱において、
前記箱体は、オートボトム構造であること、
を特徴とする脚付き箱。
【請求項６】
請求項１から請求項５のいずれかに記載の脚付き箱において、
前記箱体の前記孔部は、複数設けられ、
前記脚部は、前記突出部が挿入される前記孔部に応じて、高さが異なること、
を特徴とする脚付き箱。
【発明の詳細な説明】
【技術分野】
【０００１】
本発明は、底を持ち上げる脚付き箱に関するものである。
【背景技術】
【０００２】
従来、商品等の収容物を収容する箱があった（例えば特許文献１）。
このような箱は、使用態様に応じて、底を持ち上げる場合があった。例えば、商品の陳列等に利用する箱は、商品を見えやすくするために、底の一部を持ち上げて傾けたりしていた。
しかし、従来の箱は、底を持ち上げる場合には、台等を用いる必要があり、手間がかかっていた。
【先行技術文献】
【特許文献】
【０００３】
【特許文献１】特許第５０８６１６８号公報
【発明の概要】
【発明が解決しようとする課題】
【０００４】
本発明の課題は、使用態様に応じて、底を容易に持ち上げることができる脚付き箱を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、底部に孔部（１５，２１５（２１５ａ，２１５ｂ），３１５）を有する箱体（１０，２１０，３１０）と、前記箱体の底部（１０ａ，２１０ａ，３１０ａ）の稜部に一端部が回転可能に設けられ、前記一端部とは反対側の他端側に設けられた突出部（２３ａ，２２３ａ）と、前記一端部及び前記他端側の部分の間に配置され山折り可能に設けられた折り曲げ部（３２，２３２）とを有する脚部（２０，２２０，３２０，４２０）とを備え、前記脚部は、フラットにして前記箱体の底部に密着させた状態である密着状態と、前記箱体の底部の稜部回りに回転し、前記突出部を前記孔部に挿入し、前記折り曲げ部で山折りにして脚を形成し、底部を持ち上げる持ち上げ状態との間で変形可能なこと、を特徴とする脚付き箱である。
・第２の発明は、第１の発明の脚付き箱において、前記箱体（１０，２１０，３１０）は、前記他端側から前記一端部に向けて設けられたスリット（１４，２１４，３１４）を備え、前記脚部（２０，２２０，３２０，４２０）は、前記突出部（２３ａ，２２３ａ）の両側の領域に設けられ、前記スリットに挿入され、前記他端側の部分を前記箱体の底部に密着させた状態を維持する挿入片（２４，２２４，３２４）を備え、前記密着状態では、前記他端側の部分及び前記箱体の底部が密着することにより、前記箱体の底部に密着した状態を維持し、前記持ち上げ状態へ変形する状態では、前記脚部が山折りにされることによって、前記箱体の底部に撓みながら密着していた前記突出部が、復元力によって前記孔部に挿入されること、を特徴とする脚付き箱である。
・第３の発明は、第１又は第２の発明の脚付き箱において、前記脚部（２０，３２０，４２０）は、前記脚部の両側に設けられ、前記持ち上げ状態で、前記底部（１０ａ，３１０ａ）側に折り込むことにより、前記箱体の底部に当接して底部に掛かる荷重を受ける受け部（２３ｂ，４２３ｂ）を備えること、を特徴とする脚付き箱である。
・第４の発明は、第１から第３のいずれかの発明の脚付き箱において、前記箱体（１０，２１０）と前記脚部（２０，２２０，４２０）とは、別部材であり、前記脚部は、前記脚部の一端側が、前記箱体の取り付け用スリット（１１）に挿入されることにより、前記箱体の底部（１０ａ，２１０ａ）に回転可能に取り付けられること、を特徴とする脚付き箱である。
・第５の発明は、第４の発明の脚付き箱において、前記箱体（１０，２１０）は、オートボトム構造であること、を特徴とする脚付き箱である。
・第６の発明は、第１から第５のいずれかの発明の脚付き箱において、前記箱体（２１０）の前記孔部（２１５（２１５ａ，２１５ｂ））、複数設けられ、前記脚部（２２０）は、前記突出部（２２３ａ）が挿入される前記孔部に応じて、高さが異なること、を特徴とする脚付き箱である。
【発明の効果】
【０００７】
本発明によれば、使用態様に応じて、底を容易に持ち上げることができる脚付き箱を提供できる。
【図面の簡単な説明】
【０００８】
【図１】第１実施形態の脚付き箱１の斜視図、側面図である。
【図２】第１実施形態の脚付き箱１の下側の構成を説明する斜視図である。
【図３】第１実施形態の密着状態の脚付き箱１を、下側から見た斜視図である。
【図４】第１実施形態の脚付き箱１が密着状態から持ち上げ状態へ変形する工程を説明する図である。
【図５】第１実施形態の脚付き箱１が密着状態から持ち上げ状態へ変形する工程を説明する図である。
【図６】第１実施形態の保護カバー５０の平面図、保護カバー５０を脚付き箱１に取り付けた状態を示す斜視図である。
【図７】第１実施形態の保護カバー５０を脚付き箱１に取り付ける工程を説明する斜視図である。
【図８】第２実施形態の脚付き箱２０１を、脚部２２０を取り付け前の状態において、下側から見た斜視図である。
【図９】第２実施形態の持ち上げ状態の脚付き箱２０１を下側から見た斜視図である。
【図１０】第３実施形態の脚付き箱３０１を展開した状態、組み立てる工程を説明する図である。
【図１１】第３実施形態の持ち上げ状態の脚付き箱３０１を、下側から見た斜視図である。
【図１２】第４実施形態の脚付き箱４０１を、脚部４２０を取り付け前の状態において、下側から見た斜視図である。
【発明を実施するための形態】
【０００９】
（第１実施形態）
以下、図面等を参照して、本発明の第１実施形態について説明する。
図１は、第１実施形態の脚付き箱１の斜視図、側面図である。
図１（Ａ）は、斜視図である。
図１（Ｂ）は、密着状態における右側Ｘ２から見た側面図である。
図１（Ｃ）は、持ち上げ状態における右側Ｘ２から見た側面図である。
図１（Ｂ）、図１（Ｃ）の二点鎖線内は、脚部２０近傍の拡大図である。
なお、実施形態、図面では、説明と理解を容易にするために、ＸＹＺ直交座標系を設けた。この座標系は、脚付き箱１の鉛直方向Ｚ、左右方向Ｘ、奥行方向Ｙを表す。
【００１０】
脚付き箱１は、例えば、店舗等のキャッシュレジスタが載置されているテーブル３に載置される。
図１（Ａ）に示すように、脚付き箱１は、例えば、箱型の商品２等を収容した状態で、陳列等に用いる。
脚付き箱１は、上部が開口した箱である。側部の縁部１ａは、奥側Ｙ２に至るに従って上側に傾斜している。このため、手前側Ｙ１の商品等は、購入者等が取り出しがしやすく、一方、奥側Ｙ２の商品等は、適切に保護される。
図１（Ｂ）に示すように、脚付き箱１は、密着状態（詳細は後述する）では、底部１０ａをテーブル３にほぼ密着するように載置できる。
図１（Ｃ）に示すように、これに加えて、脚付き箱１は、持ち上状態（詳細は後述する）では、底部１０ａの手前側Ｙ１を持ち上げて、テーブル３に載置することもできる。この場合、脚付き箱１は、後ろ側に傾斜する。このため、例えば、テーブル３の手前に立っている客等は、収容されている商品等が見えやすい。
【００１１】
（脚部２０近傍の構成）
図２は、第１実施形態の脚付き箱１の下側の構成を説明する斜視図である。
図２（Ａ）は、脚付き箱１を、脚部２０を取り付け前の状態において、下側から見た斜視図である。
図２（Ｂ）は、箱体１０のオートボトム構造を説明する斜視図である。
脚付き箱１は、箱体１０、脚部２０を備える。つまり、箱体１０と脚部２０とは、別部材である。
箱体１０は、いわゆるオートボトム構造（ワンタッチ底ともいう）であり、折り畳んだ状態から広げられることによって、自然に組み立て可能である（図２（Ｂ）参照）。
箱体１０の底部１０ａは、脚取り付けスリット１１、スライド用スリット１４、ロック孔部１５、カバー取り付けスリット１６を備える。
スライド用スリット１４は、底部１０ａの手前側Ｙ１の稜部に、設けられている。
スライド用スリット１４は、奥行方向Ｙに長いスリットである。スライド用スリット１４は、左側Ｘ１及び右側Ｘ２にそれぞれ設けられている。後述するように、スライド用スリット１４は、脚部２０のスリット挿入片２４が挿入される。スライド用スリット１４の長さは、密着状態から折り曲げ状態へ変形するまでの間、スリット挿入片２４が挿入された状態を維持できるように設定されている。
ロック孔部１５は、折り曲げ状態において、脚部２０のロック用突出部２３ａ（図４（ａ）参照）を引っ掛けるための開口孔である。
カバー取り付けスリット１６は、保護カバー５０（図６参照）を取り付けるためのスリットである。
【００１２】
脚部２０は、１枚の板材から構成される。
脚部２０は、取り付け片２１（一端部）、前支持片２２、奥支持片２３、スリット挿入片２４を備える。
脚部２０は、３つの左右方向Ｘの折り曲げ線３１，３２，３３によって、奥行方向Ｙにおいて、上記４つ板材が接続されている。折り曲げ線３１，３２，３３は、例えば、押罫、ミシン目等である。折り曲げ線３１，３２，３３は、ヒンジとして機能して、以下のように、隣り合う板片を、回転可能に接続する。
・折り曲げ線３１は、取り付け片２１、前支持片２２を、回転可能に接続する。
・折り曲げ線３２は、前支持片２２を、奥支持片２３を、回転可能に接続する。
・折り曲げ線３３は、奥支持片２３、スリット挿入片２４を、回転可能に接続する。
【００１３】
取り付け片２１は、脚部２０を箱体１０に取り付けるための板部である。取り付け片２１の両側部２１ｂは、折り曲げ線２１ａによって、折り曲げ可能である。
前支持片２２及び奥支持片２３は、折り曲げ線３２で山折りにされることによって、下側に突起して、箱体１０の底部１０ａ（つまり脚付き箱１の底部）を実際に持ち上げる板部である。
【００１４】
前支持片２２の左右方向Ｘの長さＬ２２と、箱体１０の左右方向Ｘの長さＬ１０ａとは、等しい。
前支持片２２は、孔部２２ａを備える。
孔部２２ａは、カバー取り付けスリット１６を露出させるための開口孔である。孔部２２ａは、密着状態において、カバー取り付けスリット１６が露出するように、配置されている。
奥支持片２３は、ロック用突出部２３ａ、受け片２３ｂ（受け部）を備える。
ロック用突出部２３ａは、奥支持片２３の後端から、奥側Ｙ２に突出した部分である。つまり、ロック用突出部２３ａは、取り付け片２１よりも奥側Ｙ２（一端部とは反対側の他端側）の領域に設けられている。
ロック用突出部２３ａの左右方向Ｘ及び奥側Ｙ２には、切込み線が設けられている。このため、ロック用突出部２３ａ及びスリット挿入片２４間は、分離している。一方、ロック用突出部２３ａの手前側Ｙ１には、折り曲げのための構成（折り曲げ線等）がない。このため、ロック用突出部２３ａ及び奥支持片２３本体間は、折り曲げにくい構成になっている。
受け片２３ｂは、後述するように、持ち上げ状態で、箱体１０の底部１０ａを受けるための部材である。受け片２３ｂは、奥支持片２３本体の左右方向Ｘの両側に、折り曲げ線２３ｃを介して接続されている。受け片２３ｂの手前側Ｙ１は、切り欠き状になっており、斜辺２３ｄで、折り曲げ線３２の両端に接続されている。同様に、受け片２３ｂの奥側Ｙ２は、斜辺２３ｅで、折り曲げ線３３の両端に接続されている。
【００１５】
スリット挿入片２４は、ロック用突出部２３ａの左右方向Ｘの両側及び奥側Ｙ２を囲うように設けられている。
スリット挿入片２４の左右方向Ｘの長さＬ２４は、スライド用スリット１４の左右方向Ｘの間隔Ｌ１４よりも大きい。なお、スリット挿入片２４自体には、折り曲げ線等は設けられていない。
【００１６】
（脚部２０の箱体１０への取り付け）
図２、図３を参照して、脚部２０の箱体１０への取り付け工程について説明する。
図３は、第１実施形態の密着状態の脚付き箱１を、下側から見た斜視図である。
なお、図３以降は、脚に関する構成を分かりやすく示すために、オートボトム構想に関する線を省略し、また、脚部２０に関する線を適宜太線で示す。
作業者は、以下のように、脚部２０を箱体１０へ取り付けることができる。
・脚部２０の前側部分の取り付け
図２に示すように、取り付け片２１の側部２１ｂを折り曲げ線２１ａで折り曲げて、取り付け片２１を箱体１０の脚取り付けスリット１１に挿入する（矢印Ａ参照）。
側部２１ｂは、脚取り付けスリット１１に挿入された後、もとの状態に戻ろうとして、自然に開く。これにより、脚部２０の前側部分は、脚取り付けスリット１１からの抜け防止がされて、箱体１０の手前側Ｙ１に取り付けられる。
・脚部２０の奥側部分の取り付け
脚部２０を折り曲げ線３１で山折りして、底部１０ａに密着するように回転する。そして、スリット挿入片２４を凸形状に撓ませながら、スリット挿入片２４の左右方向Ｘの端部を、スライド用スリット１４に挿入する（矢印Ｂ参照）。
これにより、脚部２０の奥側部分が、箱体１０の底部１０ａに取り付けられる。
なお、前側部分の取り付け、奥側部分の工程の順序は、限定されない。
【００１７】
図３に示すように、以上の工程により、脚部２０は、箱体１０の底部１０ａに密着した状態（つまり密着状態）で、箱体１０の底部１０ａに取り付けられる。なお、これまでの工程では、折り曲げ線３２，３３等は、折り曲げられていないので、折りぐせがついていない。このため、脚部２０は、フラットな状態を安定して維持できる。
脚付き箱１は、密着状態では、図１（Ｂ）に示すように、底部１０ａがテーブル３に密着するように、載置できる。また、商品等を脚付き箱１に収容した状態で納入する場合では、脚付き箱１は、密着状態で、保管、輸送等がされる。これにより、脚付き箱１は、かさばることなく、従来の箱と同様に積み重ねたりして、取り扱うことができる。
また、脚付き箱１を傾斜させる必要がない場合（例えば、テーブル３に傾斜した陳列台が既に設置されている場合等）には、脚付き箱１を密着状態のままテーブル３に載置してもよい。
【００１８】
（密着状態から持ち上げ状態への変形）
図３から図５を参照して、密着状態から持ち上げ状態へ変形する工程について説明する。
図４、図５は、第１実施形態の脚付き箱１が密着状態から持ち上げ状態へ変形する工程を説明する図である。
図４は、脚付き箱１が密着状態から持ち上げ状態へ変形する態様を下側から見た斜視図である。
図５（Ａ）から図５（Ｃ）は、第１実施形態のロック用突出部２３ａがロック孔部１５に挿入される態様を説明する断面図である。
図５（Ｄ）は、持ち上げ状態の脚付き箱１を下側から見た斜視図である。
【００１９】
作業者は、以下の工程に従って、脚付き箱１を、密着状態から持ち上げ状態へと変形できる。
（１）図３、図４（ａ）に示すように、前支持片２２の左右両端を、親指及び人差し指等で挟んで持ち上げるようにして、前支持片２２を、折り曲げ線３１回りに（つまり箱体１０の底部１０ａの手前側Ｙ１の稜部回り）に回転する。
これに連動して、前支持片２２及び奥支持片２３は、折り曲げ線３２で山折りにされて、下側に持ち上がる。また、スリット挿入片２４が折り曲げ線３３で折れ曲がり、底部１０ａに密着した状態で手前側Ｙ１にスライドする。
なお、この（１）の工程は、奥支持片２３を持ち上げるようにしてもよい。
【００２０】
（２）上記（１）を継続すると、前支持片２２及び奥支持片２３の高さが高くなるともに、スリット挿入片２４が手前側Ｙ１にさらにスライドする。
図４（Ｂ）に示すように、そして、ロック用突出部２３ａは、箱体１０のロック孔部１５に挿入される。
【００２１】
なお、ロック用突出部２３ａ及び奥支持片２３間には、折り曲げ線が設けられていないので、ロック用突出部２３ａは、ロック孔部１５に挿入されるまでの間、底部１０ａに平行に密着した状態を維持する。
図５（Ａ）に示すように、このため、ロック用突出部２３ａは、ロック孔部１５に挿入される前には、曲げ応力が働き、撓んだ状態になる。
図５（Ｂ）に示すように、このため、ロック用突出部２３ａは、箱体１０のロック孔部１５に到達すると、復元力が強く働きもとに戻ろうとする。これにより、ロック用突出部２３ａは、自然にロック孔部１５に挿入される。
このように、脚付き箱１は、ロック用突出部２３ａをロック孔部１５に入れるための特別な工程が不要であり、作業性がよい。
（３）ロック用突出部２３ａがロック孔部１５に挿入された後には、作業者が脚部２０から手を離す。
図５（Ｃ）に示すように、ロック用突出部２３ａは、各折り曲げ線３１，３２，３３の復元力の働きによって、後退して、ロック孔部１５の後ろ縁部に引っ掛かる。このため、脚部２０は、山折りの状態を安定して維持できる。
以上により、折り曲げ線３２等で山折りにした脚が形成され、脚付き箱１は、持ち上げ状態になる。
【００２２】
（４）図５（Ｄ）に示すように、受け片２３ｂを内側（底部１０ａ側）に直角に折り曲げる。
受け片２３ｂは、直角に折り込まれた状態で、箱体１０の底部１０ａに丁度当接するように、斜辺２３ｅが設定されている（図１（Ｃ）の二点鎖線内参照）。このため、受け片２３ｂは、底部１０ａに掛かる荷重を受けることができる。
これにより、脚付き箱１は、耐荷重、耐久性を向上できる。
また、前支持片２２の左右方向Ｘの長さＬ２２と、箱体１０の底部１０ａの左右方向Ｘの長さＬ１０ａとは、等しいので（図２参照）、脚付き箱１は、左右方向Ｘへの倒れが抑制されて、安定して設置できる。
【００２３】
以上説明したように、脚付き箱１は、新たな部品等を組み付けることなく、密着状態及び持ち上状態に、簡単な作業で適宜変形できる。これにより、使用態様、載置するテーブル３の態様等に応じて、密着状態、持ち上げ状態に変形できる。また、箱体１０は、市場で多く流通しているオートボトム構造であるので、従来から使用してきた組み立て装置等をそのまま流用できる。
【００２４】
（搬送時、保管時等の形態の一例）
脚付き箱１に商品等を収容し、搬送、保管等する場合に、保護カバー５０を取り付ける例を説明する。
図６は、第１実施形態の保護カバー５０の平面図、保護カバー５０を脚付き箱１に取り付けた状態を示す斜視図である。
図６に示すように、保護カバー５０の外形は、細長い長方形である。保護カバー５０は、商品が脚付き箱１から露出した部分のうち上側、手前側Ｙ１、奥側Ｙ２を覆うようになっている。
保護カバー５０は、前カバー部５１、上カバー部５２、底部５３、奥部５４を備える。これらは、折り曲げ線を介して、奥行方向Ｙに連設されている。
前カバー部５１、上カバー部５２の長さは、それぞれ箱体１０の鉛直方向Ｚの長さ、奥行方向Ｙの長さよりも若干大きい。
【００２５】
底部５３は、底部１０ａ側に折り込まれて、箱体１０の底部１０ａに装着される板部である。
底部５３は、突起部５３ａと、突起部５３ａに接続する折り曲げ線５３ｂとが設けられている。
奥部５４は、商品が露出した部分のうち奥側Ｙ２を覆うとともに、奥側Ｙ２に折り込まれて、箱体１０に装着される板部である。
奥部５４は、底部５３と同様に、突起部５４ａと、突起部５４ａに接続する折り曲げ線５４ｂとが設けられている。
【００２６】
保護カバー５０を脚付き箱１に取り付ける工程を説明する。
図７は、第１実施形態の保護カバー５０を脚付き箱１に取り付ける工程を説明する斜視図である。
図７（Ａ）は、奥側Ｙ２から見た斜視図である。
図７（Ｂ）は、底部１０ａ側から見た斜視図である。
作業者は、以下のように、保護カバー５０を脚付き箱１に取り付けることができる。
（１）図７（Ａ）に示すように、脚付き箱１に商品等を収容した状態で、保護カバー５０の折り曲げ線をそれぞれ、脚付き箱１を覆うように山折りに折り込む。
（２）保護カバー５０の奥部５４の折り曲げ線５４ｂを谷折りに折り込んで、突起部５４ａを内側に起こす。
起こした突起部５４ａを箱体１０の孔１０ｂに挿通して、引っ掛ける。
（３）図７（Ｂ）に示すように、保護カバー５０の底部５３の折り曲げ線５３ｂを谷折りに折り込んで、突起部５３ａを内側に起こす。
起こした突起部５３ａを箱体１０のカバー取り付けスリット１６に挿通して、引っ掛ける。
なお、カバー取り付けスリット１６は、脚部２０の孔部２２ａから露出している。このため、脚部２０は、鉛直方向Ｚにおいて、保護カバー５０の底部５３及び箱体１０の底部１０ａの間に、挟まれるような形態になる。
以上の工程により、保護カバー５０を脚付き箱１に取り付けることができる。
【００２７】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図８は、第２実施形態の脚付き箱２０１を、脚部２２０を取り付け前の状態において、下側から見た斜視図である。
箱体２１０は、２つのロック孔部２１５（２１５ａ，２１５ｂ）を備える。
２つのロック孔部２１５ａ，２１５ｂは、奥行方向Ｙに配列されている。
脚部２２０は、第１実施形態の脚部２０から奥支持片２３の受け片２３ｂを削除した形態である。
【００２８】
図９は、第２実施形態の持ち上げ状態の脚付き箱２０１を下側から見た斜視図である。
図９（Ａ）、図９（Ｂ）に示すように、作業者は、脚部２２０のロック用突出部２２３ａを、ロック孔部２１５ａ，２１５ｂのうちいずれかを選択して挿入できる。これにより、脚部２２０の箱体２１０の底部２１０ａからの突出量を調整できる。
このため、脚付き箱２０１は、使用態様、載置するテーブル等の態様に応じて、持ち上げ状態における高さ調整をすることができる。
脚付き箱２０１の密着状態の形態は、第１実施形態と同様であるので、詳細な説明を省略する。
【００２９】
なお、ロック孔部２１５は、３つ以上設けてもよい。この場合には、脚付き箱は、多段階に高さ調整をすることができる。
また、脚付き箱２０１は、第１実施形態と同様に、奥支持片２２３の受け片を設けてもよい。この場合には、受け片は、左右方向Ｘにおいて、スライド用スリット２１４とは異なる位置に配置すれば、持ち上げ状態において、スライド用スリット２１４に入り込んでしまうことはない。また、この場合には、ロック用突出部２２３ａを挿入するロック孔部２１５に応じて、作業者が、受け片の斜辺の一部を切断して斜辺の傾斜を調整することにより、底部２１０ａに当接する角度を調整すればよい。
【００３０】
（第３実施形態）
次に、本発明の第３実施形態について説明する。
図１０は、第３実施形態の脚付き箱３０１を展開した状態、組み立てる工程を説明する図である。
図１０（Ａ）は、展開した状態を説明する図である。
図１０（Ｂ）は、組み立てる工程を下側から見た斜視図である。
図１１は、第３実施形態の持ち上げ状態の脚付き箱３０１を、下側から見た斜視図である。
図１０（Ａ）に示すように、脚付き箱３０１は、１枚の板材３０１ａから構成される。つまり、箱体３１０及び脚部３２０は、１枚の板材３０１ａによって構成される。
図１０（Ａ）、図１０（Ｂ）に示すように、箱体３１０は、糊しろ３１０ｅを接着することにより、筒体を形成した後、３つのフラップ３１０ｂ，３１０ｃ，３１０ｄを内側に折り曲げることにより、底部３１０ａ（図１１参照）を形成する。
ロック孔部３１５は、フラップ３１０ｂ，３１０ｃに設けられた切り欠きによって形成される。
脚部３２０は、箱体３１０の手前側の稜部に、フラップのように接続されている。
【００３１】
図１１に示すように、上記形態であっても、脚付き箱３０１は、底部３１０ａを持ち上げる脚を構成することができる。
なお、密着状態については、前述した実施形態と同様であるので、説明を省略する。
また、第２実施形態のロック孔部を複数設ける構成を、本実施形態に適用してもよい。
【００３２】
（第４実施形態）
次に、本発明の第４実施形態について説明する。
図１２は、第４実施形態の脚付き箱４０１を、脚部４２０を取り付け前の状態において、下側から見た斜視図である。
脚部４２０は、受け片４２３ｂを折り曲げ線２３ｃで内側（底部１０ａ側）に折り曲げた状態で、箱体１０に取り付けられる。
密着状態では、脚部４２０は、受け片４２３ｂが内側に折り曲げられた状態で、箱体１０の底面１０ａに密着する。
【００３３】
持ち上げ状態に変形させる場合には、作業者が第１実施形態と同様に脚部４２０を起こすと、受け片４２３ｂは、折り曲げ線２３ｃの復元力によって、奥支持片２３の本体から立ち上がった状態になる。
これにより、脚付き箱４０１は、持ち上げ状態に変形させる場合に、受け片４２３ｂを折り曲げる工程が不要である。このため、脚付き箱４０１は、より簡単な作業で変形できる。
【００３４】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００３５】
（変形形態）
（１）実施形態において、脚付き箱は、手前側を持ち上げられる例を示したが、これに限定されない。例えば、脚付き箱は、奥側に脚部を設けて奥側を持ち上げてもよいし、また、手前側及び奥側にそれぞれ脚部を設けて、両方を持ち上げてもよい。これにより、脚付き箱は、使用態様に応じて、臨機応変に状態を変形できる。
【００３６】
（２）実施形態において、脚付き箱は、テーブルに載置される例を示したが、これに限定されない。例えば、脚付き箱は、大型の段ボール箱でもよく、床等に設置してもよい。この場合には、箱の底面の複数の箇所（例えば四隅）に脚に関する構成を適用すればよい。
【符号の説明】
【００３７】
１，２０１，３０１，４０１  脚付き箱
１０，２１０，３１０  箱体
１０ａ，２１０ａ，３１０ａ  底部
１１  脚取り付けスリット
１４，２１４，３１４  スライド用スリット
１５，２１５（２１５ａ，２１５ｂ），３１５  ロック孔部
２０，２２０，３２０，４２０  脚部
２１  取り付け片
２２  前支持片
２２ａ  孔部
２３，２２３  奥支持片
２３ａ，２２３ａ  ロック用突出部
２４，２２４，３２４  スリット挿入片
【図１】
2015024824.tif 000003
【図２】
2015024824.tif 000004
【図３】
2015024824.tif 000005
【図４】
2015024824.tif 000006
【図５】
2015024824.tif 000007
【図６】
2015024824.tif 000008
【図７】
2015024824.tif 000009
【図８】
2015024824.tif 000010
【図９】
2015024824.tif 000011
【図１０】
2015024824.tif 000012
【図１１】
2015024824.tif 000013
【図１２】
2015024824.tif 000014